(57)【要約】【課題】スリム化を具現し、その結合構造を簡単に具現することができる発光モジュール及びこれを備えるバックライトユニットを提供する。【解決手段】ＰＣＢ（Ｐｒｉｎｔｅｄ  Ｃｉｒｃｕｉｔ  Ｂｏａｒｄ）と、前記ＰＣＢに形成された複数の発光素子と、前記ＰＣＢに支持され、前記複数の発光素子から放出した光を反射させる少なくとも１つのモジュールレンズとが含まれる。【選択図】図４
2007123886.tif 000002
【特許請求の範囲】
【請求項１】
ＰＣＢ（Ｐｒｉｎｔｅｄ  Ｃｉｒｃｕｉｔ  Ｂｏａｒｄ）と、
前記ＰＣＢに形成された複数の発光素子と、
前記ＰＣＢに支持され、前記複数の発光素子から放出した光を反射させる少なくとも１つのモジュールレンズと、
が含まれることを特徴とする発光モジュール。
【請求項２】
前記モジュールレンズを支持するために、前記ＰＣＢに形成された支持部材が含まれることを特徴とする、請求項１に記載の発光モジュール。
【請求項３】
前記モジュールレンズが、前記発光素子を対面する面が凹面に形成されたことを特徴とする、請求項１に記載の発光モジュール。
【請求項４】
前記モジュールレンズが、一方が前記ＰＣＢに支持され、他方が前記ＰＣＢに形成された支持部材により支持されることを特徴とする、請求項１に記載の発光モジュール。
【請求項５】
前記ＰＣＢには、前記発光素子を駆動する駆動回路部が形成されたことを特徴とする、請求項１に記載の発光モジュール。
【請求項６】
前記ＰＣＢの下側には、放熱のための放熱板が形成されたことを特徴とする、請求項１に記載の発光モジュール。
【請求項７】
ＰＣＢと、
前記ＰＣＢに形成された複数の発光素子と、
前記ＰＣＢに支持され、前記複数の発光素子から放出した光が反射されるように、互いに対向して形成された一対をなす少なくとも１つのモジュールレンズと
が含まれることを特徴とする、発光モジュール。
【請求項８】
前記モジュールレンズが、発光素子と離間し、前記ＰＣＢから前記発光素子の上側まで曲面に形成され、２つのモジュールレンズが、凸面が互いに対面する形態に配置されることを特徴とする、請求項７に記載の発光モジュール。
【請求項９】
前記ＰＣＢに形成されて、前記複数の発光素子を駆動する駆動回路部が含まれることを特徴とする、請求項７に記載の発光モジュール。
【請求項１０】
前記モジュールレンズを支持するために、前記ＰＣＢに形成された支持部材が含まれることを特徴とする、請求項７に記載の発光モジュール。
【請求項１１】
前記ＰＣＢの下側には、放熱のための放熱板が形成されたことを特徴とする、請求項７に記載の発光モジュール。
【請求項１２】
ＰＣＢと、該ＰＣＢに形成された複数の発光素子と、該複数の発光素子から放出した光を反射させるモジュールレンズが含まれる発光モジュールと、
前記発光モジュールを支持する下部ケースと
が含まれることを特徴とするバックライトユニット。
【請求項１３】
前記ＰＣＢには、前記発光素子を駆動する駆動回路部が形成されたことを特徴とする、請求項１２に記載のバックライトユニット。
【請求項１４】
前記モジュールレンズが、前記発光素子と離間し、前記ＰＣＢから前記発光素子の上側まで曲面に形成されたことを特徴とする、請求項１２に記載のバックライトユニット。
【請求項１５】
前記モジュールレンズを支持するために、前記ＰＣＢに形成された支持部材が含まれることを特徴とする、請求項１２に記載のバックライトユニット。
【請求項１６】
前記モジュールレンズが、前記発光素子を対面する面が凹面に形成されたことを特徴とする、請求項１２に記載のバックライトユニット。
【請求項１７】
前記モジュールレンズが、一方が前記ＰＣＢに支持され、他方が前記ＰＣＢに形成された支持部材により支持されることを特徴とする、請求項１２に記載のバックライトユニット。
【請求項１８】
前記下部ケースには、放熱板が形成されたことを特徴とする、請求項１２に記載のバックライトユニット。
【請求項１９】
前記下部ケースには、前記駆動回路部を制御する制御部が形成されたことを特徴とする、請求項１３に記載のバックライトユニット。
【請求項２０】
前記発光モジュールには、複数のモジュールレンズが形成され、前記複数のモジュールレンズのうち、少なくとも２つのモジュールレンズが、凸面が互いに対面する形態に配置されることを特徴とする、請求項１２に記載のバックライトユニット。
【発明の詳細な説明】
【技術分野】
【０００１】
本発明は、発光モジュール及びこれを備えるバックライトユニットに関する。
【背景技術】
【０００２】
発光モジュールに採用される発光素子は、化合物半導体からなり、このような発光モジュールは、家電製品のリモコン、電光板などの表示器既に多様に適用されている。また、発光モジュールは、液晶表示装置などのバックライトユニットとしても利用される。
液晶表示装置は、テレビ、モニターなどの大型映像装置にも適用され、移動通信端末機のような携帯用機器にも適用される。
特に、情報通信機器の小型化、スリム化傾向に伴って、機器の各種部品である抵抗、コンデンサー、ノイズフィルターなどは、さらに小型化されており、発光素子も、プリント回路基板に直接実装するために、表面実装素子（Ｓｕｒｆａｃｅ  Ｍｏｕｎｔ  Ｄｅｖｉｃｅ）型に製造されている。このようなＳＭＤ方式の発光素子が採用された発光モジュールは、その使用用途によって、トップビュー（Ｔｏｐ  Ｖｉｅｗ）方式とサイドビュー（Ｓｉｄｅ  Ｖｉｅｗ）方式に製造される。
【０００３】
従来の発光モジュールは、基本回路が構成されている基板、例えばＰＣＢ上に発光素子を取り付け、これを保護するモールド部材がその上に形成される。また、別途に加工されたレンズを前記発光素子に個別に形成する方式により、前記発光素子から発光する光の方向を制御するようになる。
これにより、従来の発光モジュールでは、別途に加工されたレンズを各々の発光素子に個別に形成させなければならない煩わしさが発生する。
また、前記発光素子を駆動させる駆動回路部が、前記発光素子が形成されたＰＣＢと別途に構成されることによって、前記駆動回路部をワイヤボンディングなどにより接続しなければならないという煩わしさがあり、複雑な構造を有するという短所がある。
【発明の開示】
【発明が解決しようとする課題】
【０００４】
本発明は、上述の問題点に鑑みてなされたもので、その目的は、スリム化を具現し、その結合構造を簡単に具現することができる発光モジュール及びこれを備えるバックライトユニットを提供することにある。
【課題を解決するための手段】
【０００５】
本発明の実施の形態に係る発光モジュールは、ＰＣＢ（Ｐｒｉｎｔｅｄ  Ｃｉｒｃｕｉｔ  Ｂｏａｒｄ）と、前記ＰＣＢに形成された複数の発光素子と、前記ＰＣＢに支持され、前記複数の発光素子から放出した光を反射させる少なくとも１つのモジュールレンズとが含まれる。
本発明の実施の形態に係る発光モジュールは、ＰＣＢと、前記ＰＣＢに形成された複数の発光素子と、前記ＰＣＢに支持され、前記複数の発光素子から放出した光が反射されるように、互いに対向して形成された一対をなす少なくとも１つのモジュールレンズとが含まれる。
本発明の実施の形態に係るバックライトユニットは、ＰＣＢと、該ＰＣＢに形成された複数の発光素子と、該複数の発光素子から放出した光を反射させるモジュールレンズが含まれる発光モジュールと、前記発光モジュールを支持する下部ケースとが含まれる。
【発明の効果】
【０００６】
本発明に係る発光モジュール及びこれを備えるバックライトユニットによれば、スリム化を具現し、その結合構造を簡単に具現できるという長所がある。
【発明を実施するための最良の形態】
【０００７】
本発明の実施例に対する説明で構成要素が他の構成要素に形成されるということは前記構成要素が直接的に又は間接的に接触して他の構成要素に積層されることをいい、前記構成要素と他の構成要素の間に複数の又他の構成要素が形成される場合を含む。
以下、本発明の好ましい実施の形態を、添付図面に基づき詳細に説明する。
【０００８】
図１は、本発明に係る発光モジュールを概念的に示した図である。
同図に示すように、本発明に係る発光モジュール１００は、複数の発光素子１０１、１０２、１０３、１０４、及びモジュールレンズ１１０を含んで構成される。前記モジュールレンズ１１０及び複数の発光素子１０１、１０２、１０３、１０４は、ＰＣＢ１２０に形成されており、前記ＰＣＢ１２０には、メタルＰＣＢ（ＭＣＰＣＢ；Ｍｅｔａｌ  Ｃｏｒｅ  ＰＣＢ）が適用され得る。
前記モジュールレンズ１１０は、一方が前記ＰＣＢ１２０に支持され、他方は、前記ＰＣＢ１２０に形成された支持部材１３０により支持される。
【０００９】
本発明では、前記複数の発光素子１０１、１０２、１０３、１０４上にモジュールレンズ１１０が一体型に形成される。前記モジュールレンズ１１０は、複数の発光素子１０１、１０２、１０３、１０４から放出した光を透過又は反射させる。このとき、前記モジュールレンズ１１０は、複数形成され、各モジュールレンズ１１０に所定の発光素子１０１、１０２、１０３、１０４が対応して配置される。
【００１０】
前記モジュールレンズ１１０は、前記発光素子１０１、１０２、１０３、１０４から発光する光が入射されると、その入射された光を反射させ進行方向を変更させる。
このとき、前記モジュールレンズ１１０は、曲率を持つバー形状に形成されるようにすることができ、前記発光素子１０１、１０２、１０３、１０４を対面する面が凹面に形成される。前記モジュールレンズ１１０は、前記発光素子１０１、１０２、１０３、１０４と離間して形成される。
前記発光素子１０１、１０２、１０３、１０４から放出した光は、前記モジュールレンズ１１０から反射されて、前記ＰＣＢ１２０側に入射されることができ、複数の発光素子１０１、１０２、１０３、１０４から放出したＲ、Ｇ、Ｂ光は、適切に混色され得る。
【００１１】
従来の発光モジュールでは、各々の発光素子にレンズを別途に形成しなければならなかったが、本発明に係る発光モジュール１００によれば、モジュールレンズ１１０を一体型に形成することによって、これを容易に具現できるようになる。
前記複数の発光素子１０１、１０２、１０３、１０４は、ＣＯＢ（Ｃｈｉｐ  Ｏｎ  Ｂｏａｒｄ）形態にＰＣＢ１２０上に形成されるものであり、前記発光素子１０１、１０２、１０３、１０４を保護するモールディング部材も高いドーム形態に構成することによって、発光効率を向上させることができる。
前記複数の発光素子１０１、１０２、１０３、１０４は、赤色ＬＥＤ、緑色ＬＥＤ、青色ＬＥＤを含んで構成されることができ、黄色ＬＥＤ、琥珀色ＬＥＤなど、種々の波長帯域のＬＥＤをさらに含んで構成されることもできる。ここで、前記複数の発光素子１０１、１０２、１０３、１０４は、３８０ｎｍ〜７６０ｎｍまでの波長帯域に該当する光を発光するように構成されることができる。
【００１２】
図２は、本発明に係る発光モジュールの他の実施の形態を概略的に示した図である。
同図に示すように、本発明に係る発光モジュールは、両方向に光が発光するように具現することもできる。
同図に示すように、発光モジュール２００は、ＰＣＢ１２０上に複数の発光素子１０１、１０２、１０３、１０４及び複数のモジュールレンズ１１０を含んで構成される。
前記複数のモジュールレンズ１１０は、凸面が互いに対面する形態に配置されることができ、前記複数の発光素子１０１、１０２、１０３、１０４から発光する光は、両方向に放出されるようになる。
【００１３】
一方、図３は、本発明の実施の形態に係る発光モジュールを概略的に示した図であり、図４は、図３に示す発光モジュールの側面図を概略的に示した図である。
図３及び図４に示すように、本発明の実施の形態に係る発光モジュール３００は、複数の発光素子１０１、１０２、１０３、１０４、モジュールレンズ１１０、ＰＣＢ１２０、駆動回路部１４０、放熱板１５０を含んで構成される。
本発明に係る発光モジュール３００は、前記ＰＣＢ１２０上に前記複数の発光素子１０１、１０２、１０３、１０４、モジュールレンズ１１０及び駆動回路部１４０が一体に形成される。
このように発光モジュール３００をなす各構成要素が、前記ＰＣＢ１２０上に一体に形成されることによって、その結合構造をさらに単純化させることができ、厚さをスリム化させることができる。また、前記ＰＣＢ１２０の下部には、放熱板１５０を形成することによって、放熱問題を解決することができる。
【００１４】
このような構成を有する発光モジュールは、多様な分野に適用されることができ、その１つの例としてバックライトユニットに適用された場合を図５に示した。
図５は、本発明に係るバックライトユニットを概略的に示した図である。
同図に示すように、本発明に係るバックライトユニットは、発光モジュール３００、下部ケース１７０、放熱板１５０、制御部１６０を含んで構成される。
図５に示した発光モジュール３００は、ＰＣＢ１２０上に駆動回路部１４０、発光素子１０４及びモジュールレンズ１１０が一体型に形成されている。前記ＰＣＢ１２０には、メタルＰＣＢ（ＭＣＰＣＢ）が利用されることもできる。前記モジュールレンズ１１０は、複数形成され、各モジュールレンズ１１０に所定の発光素子１０４が対応して配置されるように具現することもできる。
【００１５】
前記モジュールレンズ１１０は、前記複数の発光素子１０４から発光する光が入射されると、入射した光を反射させて進行方向を変更させる。このとき、前記モジュールレンズ１１０は、曲率を持つバー形状に形成される。
前記複数の発光素子１０４は、赤色ＬＥＤ、緑色ＬＥＤ、青色ＬＥＤを含んで構成されることができ、黄色ＬＥＤ、琥珀色ＬＥＤなど、種々の波長帯域のＬＥＤをさらに含んで構成されることもできる。ここで、前記複数の発光素子１０４は、３８０ｎｍ〜７６０ｎｍまでの波長帯域に該当する光を発光するように構成されることができる。
このように複数の発光素子１０４から放出された、多様な波長帯域の光は、前記モジュールレンズ１１０から反射され、その反射されて混色された光によって白色光が形成される。
一方、前記バックライトユニットは、液晶表示装置などに白色光を提供する光源に適用されることができる。一般に、多様な波長帯域の光を混合して白色光を形成するためには、一定の距離が確保されなければならない。
本発明では、複数の発光素子１０４から発生した光が、モジュールレンズ１１０から反射されて混合されるが、前記モジュールレンズ１１０の発光素子１０４を対面する面が凹面に形成され、支持部材１３０により支持されて、発光素子１０４と充分の間隔で離間しているため、光の混合を容易にすることができる。
【００１６】
このような構成を有する発光モジュール３００が下部ケース１７０の内部に形成されており、前記下部ケース１７０の外部には、放熱板１５０が形成されている。ここで、前記発光モジュール３００は、前記下部ケース１７０にねじ（ｓｃｒｅｗ）締結方式で結合され得る。これにより、その組み立てを容易に具現することができる。
また、前記下部ケース１７０の外部に設けられた放熱板１５０の間には、制御部１６０が形成されている。このように前記制御部１６０を前記放熱板１５０の間の空間に位置させることによって、薄型のバックライトユニットを提供することができる。
【００１７】
前記制御部１６０は、前記複数の発光素子１０４を駆動させる駆動回路部１４０に制御信号を伝達する。このとき、前記駆動回路部１４０と制御部１６０は、通信モジュールを介して制御信号を伝送することができ、例えばＲＳＣ４８５通信モジュールを利用することもできる。
以上、説明したように、本発明に係る発光モジュール及びこれを備えるバックライトユニットによれば、スリム化を具現し、その結合構造を簡単に具現できるという長所がある。
【００１８】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００１９】
【図１】本発明に係る発光モジュールを概念的に示した図である。
【図２】本発明に係る発光モジュールの他の実施の形態を概略的に示した図である。
【図３】本発明に係る発光モジュールのもう１つの実施の形態を概略的に示した図である。
【図４】図３に示す発光モジュールの側面図を概略的に示した図である。
【図５】本発明に係るバックライトユニットを概略的に示した図である。
【図１】
2007123886.tif 000003
【図２】
2007123886.tif 000004
【図３】
2007123886.tif 000005
【図４】
2007123886.tif 000006
【図５】
2007123886.tif 000007